(57)【要約】【課題】  キャップ本体と、その外周に設けられキャップ本体の開蓋を阻止するプロテクターとからなる押動式キャップが、缶の開口に取り付けた閉蓋状態から、ドライバーなどの不正工具で不正開放されるのを防止する。【解決手段】  天蓋３の開口縁部３ａは、上向きの環状内周側壁６とするとともに、環状内周側壁６の外周部分には押動式キャップ１０の外周側壁１０ｂが嵌入できる環状溝７を形成するとともに、環状溝７に押動式キャップ１０の外周側壁１０ｂを嵌入して被蓋したときに、押動式キャップ１０の外周側壁１０ｂと、外周側壁１０ｂが対向する天蓋３の環状溝７の外周壁７ａとで形成される隙間Ｓを狭く構成してある。【選択図】          図６
2006224995.tif 000002
【特許請求の範囲】
【請求項１】
収納物を収納する収納空間を有する缶胴体１と、
中央部に開口３ａを有するとともに前記缶胴体１の開口部１ｂを閉じる天蓋３と、
この天蓋３の開口３ａを閉塞するキャップ本体１３と、該キャップ本体１３の少なくとも外周縁部周辺を被覆するように装着し、開蓋時には取り外すようにしたプロテクター１６とからなる押動式キャップ１０とからなる缶であって、
前記天蓋３の開口３ａ縁部は、上向きの環状内周側壁６とするとともに、該環状内周側壁６の外周部分には押動式キャップ１０の外周側壁１０ｂが嵌入できる環状溝７を形成するとともに、
前記天蓋３の環状溝７に押動式キャップ１０の外周側壁１０ｂを嵌入して被蓋したときに、押動式キャップ１０の外周側壁１０ｂと、この外周側壁１０ｂが対向する天蓋３の環状溝７の外周壁７ａとで形成される隙間Ｓを狭く構成してあることを特徴とする缶。
【請求項２】
天蓋３の環状溝７に押動式キャップ１０を嵌入して被蓋したときに、押動式キャップ１０の上面１０ａは缶胴体又は天蓋の高い方の頂部より少し高く構成してある請求項１に記載の缶。
【請求項３】
前記天蓋の開口は、当該天蓋の外周縁側の近傍に設けてある請求項１または２に記載の缶。
【発明の詳細な説明】
【技術分野】
【０００１】
本発明は、塗料や化学薬品等の収納物を収納する缶に関する。
【背景技術】
【０００２】
従来より、この種の缶としては、角型や丸型などの種々の形状からなる缶が知られている。図１３ 及び図１４は、従来の丸型缶の一例を示したもので、以下この丸型缶について説明する。
【０００３】
図１３ 及び図１４において、０１は缶胴体であって、この缶胴体０１の下端部には底板０２が形成され、上端部には開口０３ａを有する蓋板０３の内周壁０３ｂ外側に形成した環状凹溝０４に、天蓋０５の裏面に形成した環状突部０６を嵌合して、蓋板０３に天蓋０５を固定するようにしてある。前記天蓋０５は、中央部には小口径の開口部を形成し、この開口部口縁に小口径の出入口０８を有する口金０７をかしめや溶接等で固定し、閉蓋時において前記口金０７及び天蓋０５は、蓋板０３の外周縁と缶胴体０１の上端部との結合部である環状の外周側壁の頂部０１ａより高くなるようにしてある。
【０００４】
前記口金０７に小口径の押動式キャップ０９を被蓋し、口金０７の出入口０８を閉塞して、缶の内部に収容されている塗料や化学薬品等の収容物が洩れ出ないようにしてある。
【０００５】
押動式キャップ０９は、ステンレススチールなどの弾性素材で作られ、その外周垂下壁０１１に多数の縦状の切り欠きを形成した小径のキャップ本体０１０と、閉蓋時には前記小径のキャップ本体０１０の外周縁部を被覆するように装着し、開蓋時には取り外すようにしたプロテクター０１２とからなっている。閉蓋時には前記小径のキャップ本体０１０の外周近傍を押して前記口金０７の出入口０８を閉塞し、開蓋時には前記小径のキャップ本体０１０の中央部を押して口金０７の出入口０８を開放する。
【０００６】
上記従来例の缶では、口金０７及び天蓋０５は、閉蓋状態においては、蓋板０３の外周縁と缶胴体０１の上端部との結合部である環状外周側壁の頂部０１ａより高くなるようにしてあることから、同一構造の缶を縦方向に積み重ねすることができず、運搬や保管する上で占有面積が広くならざるを得ず不都合であった。また、缶を不用意に落下した場合には、前記口金０７及び天蓋０５部は缶胴体０１の環状外周側壁の頂部０１ａより高く突出していることから、該口金０７および天蓋０５が変形ないし破損することによって密閉性が阻害され収納物が洩れ出る問題があった。
【０００７】
このような問題から、本願出願人は、缶の蓋板に形成される開口を広口とし、該蓋板の外周縁と缶胴体の上端部との結合部を環状の外周側壁とするとともに、蓋板の内周縁を形成する開口縁部は蓋板の前記環状外周側壁より低い上向きの環状の内周側壁とし、前記蓋板の環状の内周側壁には、閉蓋時には外周近傍を押して前記蓋板の開口を閉塞し、開蓋時には中央部を押して蓋板の開口を開放する大径のキャップ本体と、閉蓋時には前記キャップ本体の外周縁部を被覆するように装着し、開蓋時には取り外すようにしたプロテクターとからなる押動式キャップを設け、前記蓋板の環状内周側壁に前記押動式キャップを設けたときに、前記押動式キャップの上面は、蓋板の外周縁と缶胴体の上端部との結合部である環状外周側壁の頂部と同一または低いことを特徴とする缶を提案している（特許文献１参照）。
【０００８】
【特許文献１】特開２００３−１２８０６１号公報
【発明の開示】
【発明が解決しようとする課題】
【０００９】
しかしながら、上記従来のものでは、前記キャップ本体０１０の外周部を覆うプロテクター０１２と口金０７との間（符号Ａ）に、ドライバーなどの不正工具を挿入し、挿入した不正工具でプロテクター０１２を取り外して不正にキャップ本体０１０を取り外すなどの不正開放が行われることがあった。
【００１０】
このような不正開放は、工場などの生産拠点で缶内に収納物を充填し、店舗又は消費者に運搬されるまでの間に行われることがあり、不正開放した缶の収納物に何らかの不純物や異物が混入して内容物のバージン性が損なわれたり、内容物が漏れて外部を汚染してしまうといった問題があった。特に、上述したようなプロテクター０１２を不正工具を使って正規の方法でなく取り外した場合には、そのプロテクター０１２を、取り外す前の状態と同じような外観に上手く戻されてしまうと、消費されるまでの間にその不正開放に気づかないといった問題が発生する可能性があった。
【００１１】
また、内容物が揮発性を伴うものである場合には、消費者に渡った時には全て揮発してしまっていたり、収納物が塗料の場合には、別の色を混入されて所定の色でなくたってしまうとか、内容物が食性油などの酸化に影響され易いものである場合には酸化による劣化が通常より極めて速く進行してしまうといった問題もある。
【００１２】
そして、例えば、百万個の缶の内の一つでも不正開放が行われた場合には、他の９９万９千９９９個の缶で問題がなくとも、その内容物の種類によっては全ての缶内に収納された収納物のバージン性の再チェックをしなければないらないといった面倒な作業を強いられてしまう虞があった。
【００１３】
本発明は、上記従来の缶の有する問題を解消するために案出されたものであって、缶の内部に収納物が収納され、その缶が一般消費者にわたって消費されるまでの間に、その缶のキャップが不正に開放される虞を未然に防止して、内容物のバージン性の確保や安全性を確保する缶を提供することを目的としている。
【課題を解決するための手段】
【００１４】
上記目的を達成するため、本発明の請求項１の缶は、収納物を収納する収納空間を有する缶胴体と、中央部に開口を有するとともに前記缶胴体の開口部を閉じる天蓋と、この天蓋の開口を閉塞するキャップ本体と、該キャップ本体の少なくとも外周縁部周辺を被覆するように装着し、開蓋時には取り外すようにしたプロテクターとからなる押動式キャップとからなる缶であって、前記天蓋の開口縁部は、上向きの環状内周側壁とするとともに、該環状内周側壁の外周部分には押動式キャップの外周側壁が嵌入できる環状溝を形成するとともに、前記天蓋の環状溝に押動式キャップの外周側壁を嵌入して被蓋したときに、押動式キャップの外周側壁と、この外周側壁が対向する天蓋の環状溝の外周壁とで形成される隙間を狭く構成してあることを特徴とする。
【００１５】
前記プロテクターとしては、当該プロテクターをキャップ本体から取り外す場合に、後述する実施の形態に示すように、その一部を変形させて把持部とし、当該把持部を把持しつつプロテクターを上方に引っ張って前記キャップ本体からプロテクターを取り外すように使用されて、過去に取り外したことがその変形などで確認できるものであることが好ましい。
【００１６】
また、前記キャップ本体は、閉蓋時には、外周近傍を押して前記天蓋の開口を閉塞し、開蓋時には中央部を押してその外周を広げ、前記キャップ本体を前記天蓋の開口から取り外すように使用されるものであることが好ましい。そして、前記キャップ本体と、閉蓋時において当該キャップ本体の外周の広がりを阻止するように、前記キャップ本体の外周を覆うプロテクターとで押動式キャップが構成されている。
【００１７】
なお、「前記押動式キャップの外周側壁と、前記天蓋の環状溝の外周壁とで形成される隙間を狭く構成する」とは、前記押動式キャップを前記天蓋の環状溝に嵌合した場合に、その嵌合した部分が前記環状溝内に収納されて、当該環状溝の溝幅を可及的に狭くすることによって、押動式キャップの外周側壁と天蓋の環状溝の外周壁とで形成された隙間を狭く形成することであり、その隙間にドライバーなどの不正工具が差し入れられて抉じ開けられる虞を防止することを意味する。
【００１８】
さらに、前記天蓋に環状溝を形成しない缶の構成であっても、前述した前記押動式キャップの外周壁と前記天蓋の外周縁と前記缶胴体の上端部との結合部とで形成される隙間を可及的に狭くして、ドライバーなどの不正工具が差し入れられることを防止することが考えられるが、このように構成すると、収納物を大量に収納する大型の缶に適用した場合、その缶の天蓋の開口が前記缶胴体の外形寸法に応じて大きくせざるえないといった設計的な制約が新たな問題となる。しかし、この発明の構成によれば、前記環状溝を、前記天蓋の開口の外周部分の位置に、前記天蓋に窪ませるようにして形成し、前記押動式キャップの外周側壁と前記天蓋の環状溝の外周壁とで形成される隙間を狭く形成しているため、前記缶胴体の外形寸法に天蓋の開口の大きさが影響されなくなる結果、当該天蓋の開口の大きさや位置を収納物の性質や収納物を取り出す時の使い易さを考慮して他の制約を受けることが少ない設計が可能とすることができるようになる。
【００１９】
また、天蓋の環状溝に押動式キャップを嵌入して被蓋したときに、押動式キャップの上面は缶胴体又は天蓋の高い方の頂部より少し高く構成してある（請求項２参照）方が押動式キャップを取り外し易い利点があるので好ましい。
しかし、この発明では、上記の場合、押動式キャップの上面は缶胴体又は天蓋の頂面と略同一面でよい。
【００２０】
加えて、収納物を大量に収納する比較的容量の大きな容器としての缶に、この発明を適用する場合には、前記天蓋の開口が天蓋全体の大きさに比して小さくなってしまうので、前記缶内に収納した収納物の全てを取り出し難くなる。よって、この取り出し難くなるといった問題を解消するためには、上述した構成に加えて、前記天蓋の開口を当該天蓋の略中央部分ではなく、前記天蓋の外周縁の近くの偏った位置に設けること（請求項３参照）が好ましい。
【発明の効果】
【００２１】
請求項１の発明によれば、収納物を収納する収納空間を有する缶胴体と、中央部に開口を有するとともに前記缶胴体の開口部を閉じる天蓋と、この天蓋の開口を閉塞するキャップ本体と、該キャップ本体の少なくとも外周縁部周辺を被覆するように装着し、開蓋時には取り外すようにしたプロテクターとからなる押動式キャップとからなる缶であって、前記天蓋の開口縁部は、上向きの環状内周側壁とするとともに、該環状内周側壁の外周部分には押動式キャップの外周側壁が嵌入できる環状溝を形成するとともに、前記天蓋の環状溝に押動式キャップの外周側壁を嵌入して被蓋したときに、押動式キャップの外周側壁と、この外周側壁が対向する天蓋の環状溝の外周壁とで形成される隙間を狭く構成してあるから、前記隙間にドライバーなどの不正工具が差し入れられて抉じ開けられる虞を防止することができる。したがって、収納物のバージン性を保護できるとともに、一般消費者に対しては収納物の安全性を確保することができるようになる。
【００２２】
請求項２の発明によれば、天蓋の環状溝に押動式キャップを嵌入して被蓋したときに、押動式キャップの上面は缶胴体又は天蓋の高い方の頂部より少し高く構成してあるから、被蓋状態にある押動式キャップが正常な取り外し方法による場合に取り外しし易い利点がある。
【００２３】
請求項３の発明によれば、前記天蓋の開口は、当該天蓋の外周縁側の近傍、つまり、前記天蓋の開口を当該天蓋の略中央部分ではなく、天蓋の外周縁の近くに偏って設けることによって、比較的容量の大きな缶であっても、収納物の全てを前記開口を天蓋の中央部分に設けた缶に比べて容易に取り出すことができるようになる。
【実施例】
【００２４】
（第１実施例）  本発明の第１の実施例を図１〜図６に基づいて以下に説明する。
【００２５】
１は缶胴体であって、この缶胴体１の下端部には底板２が形成され、上端部には広口の開口３ａを有する天蓋３が形成されている。
【００２６】
天蓋３は、缶胴体１の上端部１ａに結合されるのであるが、その結合構造は種々採用できる。この実施例では、図１や図３や図６に示すように、缶胴体１の上端部１ａと天蓋３の外周縁３ｂとを巻き締めにより結合して結合部を形成し、その結合部を環状の外周側壁４として上方へ突出させている。そして、この天蓋３は、前記環状外周側壁４より内方に向けて平坦部５及び環状溝７を経て、天蓋３の内周縁を形成する内周縁部３ｃには上向きの環状内周側壁６が形成されている。この環状内周側壁６は、天蓋３の内周縁を外巻状に多重に形成して肉厚となるようにしている。前記環状溝７は、天蓋３の開口３ａの縁部を形成する環状内周側壁６の外周部分に形成され、この環状溝７には、後述する押動式キャップ１０を天蓋３の開口３ａへ外嵌した場合に、その外嵌した押動式キャップ１０の外周側壁の厚み部分ｈ（図５参照）が嵌入される。
【００２７】
すなわち、前記環状溝７に押動式キャップ１０の外周側壁１０ｂを嵌入して被蓋したときに、押動式キャップ１０の外周側壁１０ｂと、この外周側壁１０ｂが対向する天蓋３の環状溝７の外周壁７ａとで形成される隙間Ｓを狭くしてある。この隙間Ｓは押動式キャップ１０の外周側壁１０ｂ（厚み部分ｈ）が出し入れでき、かつドライバー（マイナスドライバー）等の不正工具が挿入できない隙間とする。図３でＨは環状溝７の出入口の溝幅である。
【００２８】
なお、環状の内周側壁６は天蓋３自体に一体形成していることから、従来例に比べて作業工程が省略でき作業能率が向上できる。
【００２９】
また、この実施例では、環状の内周側壁６は、天蓋３の内周縁を外巻状に折り曲げ形成して肉厚となるようにしているが、本発明では、その形成方法として外巻状に限定されるものではなく、後述する第２実施例に示すように内巻状に形成することもできる。
【００３０】
しかしながら、外巻状に形成した場合には、後述する押動式キャップ１０で天蓋３の開口３ａを閉塞した状態で、前記押動式キャップ１０のキャップ本体１３の一部（後述する係止部１１ａ）が、環状溝７内に形成される係止凹部３ｄへ係止する際に、その係止凹部３ｄの係止力に影響するクビレ部分を大きくすることが容易であるといったメリットがある。また内巻式のものに比べて、該内周縁部が収納物に浸漬されないので発錆が防止できる。
【００３１】
前記天蓋３の環状の内周側壁６には、大きな口径を有する押動式キャップ１０を被蓋して、前記天蓋３の開口３ａを閉塞し、缶の内部に収容されている塗料や化学薬品等の収納物が洩れ出ないようにしている。
【００３２】
押動式キャップ１０は、ステンレススチールなどの弾性素材で作られたキャップ本体１３と、該キャップ本体１３の外周側壁を被蓋するためのプロテクター１６とからなっている。そして、キャップ本体１３の外周垂下壁１１には多数の縦状の切り欠き１２を形成してあり、外周垂下壁１１の先端の自由端側に前記係止部１１ａを形成している。プロテクター１６は、閉蓋時においてキャップ本体１３の外周縁部を被覆するように装着し、開蓋時には取り外すものである。
【００３３】
なお、キャップ本体１３の裏側には、当て板１４を介装しており、これにより缶の振動等により収納物がキャップ本体１３裏面に接触して、該キャップ本体１３及び収納物が汚れないようにしてある。
【００３４】
閉蓋時には、前記キャップ本体１３を天蓋３の環状内周側壁６に当てて該キャップ本体１３の外周近傍を押すことにより、キャップ本体１３の外周垂下壁１１が天蓋３の環状溝７に嵌入され天蓋３の開口３ａを閉塞してから、前記プロテクター１６をキャップ本体１３の外周縁部を被覆するようにして天蓋３の環状溝７に嵌入する。このプロテクター１６によれば、閉塞時に、キャップ本体１３の外周縁部を覆いつつ、当該キャップ本体１３の外周垂下壁１１の先端の係止部１１ａを、環状溝７内の開口３ａの外周部分に形成した係止凹部３ｄへ係止して、キャップ本体１３が取り外されるのを防止する。
【００３５】
このとき、前記天蓋３の環状内周側壁６に前記押動式キャップ１０を設けたときに、押動式キャップ１０の上面１０ａは、天蓋３の外周縁３ｂと缶胴体１の上端部１ａとの結合部である環状外周側壁４の頂部４ａより少し高く（略同一面でもよい）なるようにしてある。
【００３６】
この場合、押動式キャップ１０の上面１０ａが前記頂部４ａより少し高くしてあると、押動式キャップ１０が取り外し易い。一方、押動式キャップ１０の上面１０ａが頂部４ａと略同一面又は低い場合には、缶の上部に同一構造の他の缶を安定して載置できるので、複数の缶を縦方向に積み重ねることができる。
【００３７】
また、上述した閉蓋状態においては、天蓋３の開口３ａ縁部を形成する環状内周側壁６の外周部分には、押動式キャップ１０を天蓋３の開口３ａへ外嵌した場合に、その外嵌した押動式キャップ１０の外周側壁の厚み部分ｈが収納される前記環状溝７を形成しているので、この環状溝７の出入口の溝幅Ｈを押動式キャップ１０の外周側壁の厚み部分ｈとの関係で寸法調整することによって、容易に押動式キャップ１０の外周側壁１０ｂと天蓋３との隙間Ｓを狭く形成することができる。この隙間Ｓは、天蓋３の外周縁を形成する外周縁部３ｅと内周縁部３ｃとの距離Ｌよりも小さく形成することができるので、この隙間Ｓにドライバーなどの不正工具が差し入れられることを回避し得る。隙間Ｓに不正工具が差し入れ難い構造となっているので、その工具をプロテクター１６の外周先端縁及びキャップ本体１３の係止部１１ａに引掛けて抉じ開けられるなどの虞を回避できる。
【００３８】
一方、上記閉蓋状態から開蓋する場合には、プロテクター１６の把持部１６ａを人間の手で把持し、把持部１６ａとプロテクター本体１６ｂとを連結する連結部１６ｃの連結状態を破断しつつ持ち上げてから該プロテクター１６をキャップ本体１３から取り外す。そして、キャップ本体１３の中央部を押すと、キャップ本体１３の外周垂下壁１１に形成された切り欠き１２、１２同士間の多数の爪部が拡開することにより、環状内周側壁６に対するキャップ本体１３の嵌合が解除される。そこでキャップ本体１３を手で把持して缶から取り外すことができる。このように一旦正規の方法でプロテクター１６が外されると、上述したように連結部１６ｃが破断状態となって変形するため、過去に開蓋したことを使用者が視覚的に確認可能な状態となる。
【００３９】
（変形例）  図７に示すのは、上述した缶を更に大容量のものとした大容量用の缶に適用したものである。図７において、図１〜図６と同一符号を付した構成は、上記第１の実施例と同一の機能を有するものであるので、以下の説明では再度の説明を省略する。第１実施例の収納物の容量は、１／１２リットル〜１リットル程度の小型の缶に適用されるが、この変形例では１リットルより大容量のものとしてあり、例えば、５リットル〜１８リットルの容量を有する大型の缶に適用される。
【００４０】
この変形例は、天蓋３の開口３ａを当該天蓋３の略中央部分ではなく、前記天蓋３の外周縁部近くに偏った位置に設けている点で上記第１実施例と相違し、他の構成は同一の構成としている。このように天蓋３の開口３ａを天蓋３ａの外周縁部３ｅ近くの偏った位置に設けたのは、大容量の缶の場合には、天蓋３の略中央部分に開口３ａを設けると、その収納物を開口３ａから取り出す際に全ての収納物を取り出し難くなることから、開口３ａを環状外周壁４に可及的に近い距離Ｌ１に設定しているものである。この距離Ｌ１は、収納物を取り出し易くするという問題を解消するためには、押動式キャップ１０の一部が収納される環状溝７が形成可能な範囲で可及的に距離ゼロに近づけることが好ましい。
【００４１】
（第２実施例）  図８は第２実施例を示す。上述した第１実施例では、環状の内周側壁６を形成するに当たって、天蓋３の内周縁を外巻状に折り曲げ形成して肉厚となるようにしているが、この第２実施例では、天蓋３０の内周縁を内巻状に折り曲げ形成して肉厚の内周側壁６を形成するようにした点で第１実施例と異なるものである。この環状の内周側壁６が外巻と内巻との構成上の相違以外は同様の構成としているものである。また、図８において、図１〜図６と同一の符号を付している構成は、本発明における同一の機能を有しており、繰り返しの説明は省略する。
【００４２】
（第３実施例）  図９は第３実施例を示す。このものは、天蓋３に対して、環状外周側壁４より内方に向けて平坦部を形成することなく環状溝７を形成し、環状溝７から更に内方に天蓋３の内周縁を形成する内周縁部３ｃが、環状外周側壁４の頂部４ａより低い上向きの環状内周側壁６として一体的に形成されている。この環状内周側壁６は、第１の実施例と同様に、天蓋３の内周縁を外巻状に多重に形成して肉厚となるようにしている。この構成によれば、前述した第１の実施例における天蓋３の外周縁を形成する外周縁部３ｅと内周縁部３ｃとの距離（第３実施例における符号Ｌ２）と環状溝７の溝幅Ｈが略同じ距離となるように思えるが、実際には、天蓋３から平坦部５を経ることなく下方への曲げ加工によって環状溝７を形成するため、頂部４ａから環状溝７に至る外周縁部３ｅが傾斜状となり、実質的には、環状溝７の溝幅Ｈが外周縁部３ｅと開口縁部３ｃとの距離Ｌ２が小さく形成される。
【００４３】
このような構成の缶は、平坦部５が存在しないので、より小容量の缶でも収納物の取り出し口としての開口３ａの径を大きくすることができる。
【００４４】
（第４実施例）  図１０は第４実施例を示す。この第４実施例は、第３実施例の環状の内周側壁６が天蓋３の内周縁を外巻状に多重に折り畳んだ肉厚構造であるのに対して、内周側壁６が天蓋３の内周縁を内巻状の多重に折り畳んだ肉厚構造に変更したものである。図１０において、前述した図と同じ符号も用いている構成は既に記述した構成と同様の機能を果たすものである。この第４実施例の構成によれば、第３実施例と同様に、平坦部５が存在しないので、より小容量の缶でも収納物の取り出し口としての開口３ａの径を大きくすることができる缶を提供できる。
【００４５】
（第５実施例）  図１１は第５実施例を示す。この第５実施例は、大容量の缶に好適なものであって、天蓋３の環状内周側壁６を外巻状に形成するとともに、天蓋３に平坦部５を有する点で、第１実施例と共通する。しかしながら、この第５実施例の環状内周側壁６は、第１実施例のものと巻き込み形状が少し異なるとともに、平坦部５が第１実施例のものより長い点で、両者は異なり、その他の構成は第１実施例のものと同様としてなるものである。
【００４６】
（第６実施例）  図１２は第６実施例を示す。この第６実施例は、大容量の缶に好適なものであって、天蓋３の環状内周側壁６を内巻状に形成するとともに、天蓋３に平坦部５を有する点で、第２実施例と共通する。しかしながら、この第５実施例の環状内周側壁６は、第２実施例のものと巻き込み形状が少し異なるとともに、平坦部５が第２実施例のものより長い点で、両者は異なり、その他の構成は第２実施例のものと同様としてなるものである。
【産業上の利用可能性】
【００４７】
この発明は、塗料や化学薬品等の収納物を収納する缶に適用すると良い。特に、収納物に異物や不純物が混入されると品質劣化や品質低下につながるような収納物を収容するのに好適な缶に利用される。
【図面の簡単な説明】
【００４８】
【図１】本発明の第１実施例を示す缶全体の斜視図である。
【図２】図１の正面図である。
【図３】押動式キャップを取り外した缶全体の一部縦断面図である。
【図４】押動式キャップの分解斜視図である。
【図５】押動式キャップの縦断面図である。
【図６】図３の缶に図４の押動キャップを設けた閉蓋状態を示す一部縦断面図である。
【図７】第１実施例の変形例を示す斜視図である。
【図８】第２実施例を示す缶全体の一部縦断面図である。
【図９】第３実施例を示す缶全体の一部縦断面図である。
【図１０】第４実施例を示す缶全体の一部縦断面図である。
【図１１】第５実施例を示す要部縦断面図である。
【図１２】第６実施例を示す要部縦断面図である。
【図１３】従来例の缶の概略斜視図である。
【図１４】従来例の缶の一部縦断面図である。
【符号の説明】
【００４９】
１                缶胴体
２                底板
３                天蓋
３ａ              開口
４                環状外周側壁
４ａ              頂部
６                環状内周側壁
７                環状溝
１０              押動式キャップ
１０ａ            上面
１０ｂ            外周側壁
１２              切り欠き
１３              キャップ本体
１６              プロテクター
Ｈ                環状溝の出入口の溝幅
ｈ                厚み部分
Ｓ                隙間
【図１】
2006224995.tif 000003
【図２】
2006224995.tif 000004
【図３】
2006224995.tif 000005
【図４】
2006224995.tif 000006
【図５】
2006224995.tif 000007
【図６】
2006224995.tif 000008
【図７】
2006224995.tif 000009
【図８】
2006224995.tif 000010
【図９】
2006224995.tif 000011
【図１０】
2006224995.tif 000012
【図１１】
2006224995.tif 000013
【図１２】
2006224995.tif 000014
【図１３】
2006224995.tif 000015
【図１４】
2006224995.tif 000016